(57)【要約】  【課題】遊技島全体の高さを変えることなく、簡易な構成により、遊技島を長大に形成する事が可能な遊技島を提供する。【解決手段】複数台のパチンコ遊技機及び玉貸出機と、上部タンクを設けた玉揚送装置と、を備えた遊技島において、遊技島上方に、玉揚送装置で揚送したパチンコ玉を、玉揚送装置から近い位置に設置された各パチンコ遊技機に補給するための近隣補給経路と、近隣補給経路より上方位置に、近隣補給経路で補給し得るパチンコ遊技機より遠く離間したパチンコ遊技機に補給するための遠方補給経路を、夫々上部タンクに接続した構成とする。【選択図】      図１
2005237753.tif 000002
【特許請求の範囲】
【請求項１】
複数台のパチンコ遊技機及び玉貸出機と、上部タンクを設けた玉揚送装置と、を備えた遊技島において、
前記遊技島上方に、前記玉揚送装置で揚送したパチンコ玉を、玉揚送装置から近い位置に設置された各パチンコ遊技機に補給するための近隣補給経路と、
該近隣補給経路より上方位置に、前記近隣補給経路で補給し得るパチンコ遊技機より遠く離間したパチンコ遊技機に補給するための遠方補給経路を、
夫々上部タンクに接続して備えたことを特徴とする遊技島。
【請求項２】
前記遠方補給経路は、第１遠方補給樋と、遠方補給タンクと、第２遠方補給樋とで構成され、前記第１遠方補給樋の上流側を前記上部タンクに接続し、所定量のパチンコ玉が貯留可能な遠方補給タンクを第１遠方補給樋の下流側に接続し、第２遠方補給樋の上流側を遠方補給タンクに接続し、前記玉揚送装置によって揚送したパチンコ玉を第１遠方補給樋、遠方補給タンク、第２遠方補給樋の順でパチンコ玉が流下するように構成したことを特徴とする請求項１記載の遊技島。
【請求項３】
パチンコ玉を貯留する下部貯留タンクと、パチンコ玉を回収する回収樋と、前記下部貯留タンクに貯留されたパチンコ玉を回収樋に流出させるための玉排出装置を備え、前記上部タンクには上部タンク内の玉量を検知する上部玉量検知手段を備え、前記遠方補給経路には遠方補給経路内の玉量を検知する遠方補給玉量検知手段を備え、前記玉排出装置は、前記上部タンク内の玉量が下限に達した時、又は、前記遠方補給経路内の玉量が下限に達した時、の何れか一方の場合にパチンコ玉を下部貯留タンクから回収樋に流出させるよう制御することを特徴とする請求項１または２記載の遊技島。
【発明の詳細な説明】
【技術分野】
【０００１】
本発明は、複数台のパチンコ遊技機を列設した遊技島内で、パチンコ遊技機から排出されたパチンコ玉を島の下方から玉揚送装置により島の上方に揚送し、遠方補給経路を介して各パチンコ遊技機に補給するパチンコ玉循環システムを備えた遊技島に関するものである。
【背景技術】
【０００２】
複数台（例えば１５台乃至２０台程度）のパチンコ遊技機を片面または両面に直線状に列設（横方向）させた遊技島において、遊技島内に貯留した玉を循環させるシステムは、例えば遊技島内に多量のパチンコ玉を貯留させる下部貯留タンクと、この下部貯留タンクの端部の玉排出口に設けられた玉排出装置と、この玉排出装置若しくは各パチンコ遊技機から回収樋に排出されたパチンコ玉を上方に揚送する玉揚送装置と、この玉揚送装置の上部には揚送されたパチンコ玉を一時貯留させておく上部タンクと、この上部タンクから各パチンコ遊技機や各玉貸出機に対してパチンコ玉を補給する補給樋と、上部タンクから溢れたパチンコ玉を下部貯留タンクに戻すためのオーバーフロー樋と、から大略構成され、島内のパチンコ玉が循環するようにし、営業に支障（補給トラブル等）がないようにしている。
【０００３】
また、近年郊外のパチンコ遊技場の大型化に伴い、遊技島の長大化（例えばパチンコ遊技機片面２５台程度）が進んでいるが、上記した補給樋は、上部タンクから各パチンコ遊技機や各玉貸出機に、パチンコ玉を自然に流下させて補給できるように、所定の勾配を付与して設置されるために、遊技島が長大になると補給樋や上部タンクを高く設置し、且つ玉揚送装置も高いものを使用しなくてはならず、天井の低いパチンコ遊技場では長大な遊技島を設置できないという問題があった。
【特許文献１】特開平６−３９１３６
【０００４】
上記した文献におけるパチンコ島台は、揚送装置によって揚送され、揚送装置の上部の流出口から流下してきたパチンコ玉を、駆動モータによって回転駆動される駆動ローラと従動ローラとの間に掛け渡される水平搬送ベルトによって搬送し、各パチンコ機に補給する構成になっている。
【発明の開示】
【発明が解決しようとする課題】
【０００５】
しかし、上記文献のパチンコ島台は、上記した以外にも複数のテンションローラやベルト支持部材を設けてあるなど、多くの部品によって複雑に構成されているため、施工に時間を要する上に、コストアップにも繋がっている。また、大掛かりな装置を駆動モータによって駆動させているために、可動部には大きな負担がかかり、故障して補給ができなくなるなどの不具合が生じる恐れがあった。
【０００６】
本発明は、以上の点に鑑みなされたもので、遊技島全体の高さを変えることなく、簡易な構成により、遊技島を長大に形成する事が可能な遊技島を提供する事を目的とする。
【課題を解決するための手段】
【０００７】
上記した目的は、本発明の請求項１によれば、複数台のパチンコ遊技機及び玉貸出機と、上部タンクを設けた玉揚送装置と、を備えた遊技島において、
前記遊技島上方に、前記玉揚送装置で揚送したパチンコ玉を、玉揚送装置から近い位置に設置された各パチンコ遊技機に補給するための近隣補給経路と、
該近隣補給経路より上方位置に、前記近隣補給経路で補給し得るパチンコ遊技機より遠く離間したパチンコ遊技機に補給するための遠方補給経路を、
夫々上部タンクに接続して備えることによって達成される。
【０００８】
上記した目的は、本発明の請求項２によれば、請求項１記載の遊技島で、前記遠方補給経路は、第１遠方補給樋と、遠方補給タンクと、第２遠方補給樋とで構成され、前記第１遠方補給樋の上流側を前記上部タンクに接続し、所定量のパチンコ玉が貯留可能な遠方補給タンクを第１遠方補給樋の下流側に接続し、第２遠方補給樋の上流側を遠方補給タンクに接続し、前記玉揚送装置によって揚送したパチンコ玉を第１遠方補給樋、遠方補給タンク、第２遠方補給樋の順でパチンコ玉が流下するように構成することによって達成される。
【０００９】
上記した目的は、本発明の請求項３によれば、請求項１または２記載の遊技島で、パチンコ玉を貯留する下部貯留タンクと、パチンコ玉を回収する回収樋と、前記下部貯留タンクに貯留されたパチンコ玉を回収樋に流出させるための玉排出装置を備え、前記上部タンクには上部タンク内の玉量を検知する上部玉量検知手段を備え、前記遠方補給経路には遠方補給経路内の玉量を検知する遠方補給玉量検知手段を備え、前記玉排出装置は、前記上部タンク内の玉量が下限に達した時、又は、前記遠方補給経路内の玉量が下限に達した時、の何れか一方の場合にパチンコ玉を下部貯留タンクから回収樋に流出させるよう制御することによって達成される。
【発明の効果】
【００１０】
以上のように本発明の構成によれば、遊技島上方に、玉揚送装置で揚送したパチンコ玉を、玉揚送装置から近い位置に設置された各パチンコ遊技機に補給するための近隣補給経路と、
近隣補給経路とより上方位置に、近隣補給経路で補給し得るパチンコ遊技機より遠く離間したパチンコ遊技機に補給するための遠方補給経路を、夫々上部タンクに接続して備えた構成とすることにより、
長大な遊技島においても、遊技島全体の高さを高くする事なく各パチンコ遊技機及び玉貸出機にパチンコ玉の補給を行うことができる。
【００１１】
また、玉揚送装置により揚送された玉を、駆動源を使用することなく簡易な設備で自然流出により、補給を行うことを可能としたため、コストの低減に繋がる上に、容易に短時間で施工して設置することができる。
【００１２】
また、補給経路を、玉揚送装置に近い位置に補給するための近隣補給経路と、遠い位置に補給するための遠方補給経路の２経路に分け、遠方補給タンクには所定の量のパチンコ玉が貯留されるため、玉揚送装置に近い位置の複数のパチンコ遊技機で大当たりが発生するなど大量にパチンコ玉の補給が必要になった場合にも、遠い位置のパチンコ遊技機に対しても遅れることなく補給を行うことができる。また、逆に玉揚送装置から遠い位置のパチンコ遊技機で大当たりが発生するなどした場合でも同様である。
【００１３】
さらに、遊技島の下方に備えた下部貯留タンクに貯留されたパチンコ玉を回収樋に流出させるための玉排出装置を、上部タンク内の玉量が下限に達した時、又は、遠方補給タンク内の玉量が下限に達した時、の何れか一方の場合に駆動するよう制御することにより、玉揚送装置に近い位置に設けられたパチンコ遊技機と、遠い位置に設けられたパチンコ遊技機の、双方で大当たりが発生するなど大量にパチンコ玉の補給が必要になった場合にも、何れのパチンコ遊技機に対しても遅れることなく補給を行うことができる。
【実施例１】
【００１４】
以下、本発明の第１の実施例を、図面に従って説明する。図１は、本発明の第１の実施例にかかる遊技島１０を示す正面図である。図１には主に中央付近の玉揚送装置１４より一方側（右側半分）のみを図示しており、他方側（左側半分）にも同様構成が備えられているが、図は略されている。
【００１５】
先ず、遊技島１０の大略を説明する。遊技島１０には複数台のパチンコ遊技機１２及び玉貸出機１３が列設されている。遊技島１０上方にはパチンコ玉を一時貯留する上部タンク２０が設けられ、玉揚送装置１４によって揚送されたパチンコ玉のうちの一部を上部タンク２０に貯留し、残りのパチンコ玉は貯留することなく、後述する本発明の要旨にかかる遠方補給経路４０へ直接流下するように分岐路（不図示）が上部タンク２０内部に形成されている。上部タンク２０には側壁に玉量を検知するための上部玉量検知手段（例えば、上部上限検出ＳＷ２０ａ、上部下限検出ＳＷ２０ｂ）が、所定の高さの位置に設けられている。また、上部タンク２０の側面には隣接した遊技島の上部タンクへ供給したり、受給したりすることができる一本又は二本のバランス樋（不図示）が掛け渡され、各遊技島の玉貯留量に応じて、バランス樋にて供給、受給することで、隣接した遊技島内の玉貯留量を均等化にさせることができるようにしている。
【００１６】
上部タンク２０内に貯留されたパチンコ玉は、上部タンク２０の下部から遊技島１０の島端の方向に下向きに傾斜して形成された近隣補給樋３０に沿って自然に流下し、玉揚送装置１４に近い位置に設けられた各パチンコ遊技機１２ａ及び各玉貸出機１３ａに補給される。即ち、近隣補給樋３０にはその全長にわたって常に上部タンク２０からのパチンコ玉が充填した状態となっていて、パチンコ遊技機１２ａ及び玉貸出機１３ａへパチンコ玉が補給されるたびに、上部タンク２０からパチンコ玉が近隣補給樋３０に流出して、充填した状態にされる。
【００１７】
遊技島１０下方には排出されたパチンコ玉を回収する回収樋１６が、玉揚送装置１４に向かって下向きの傾斜状に設けられている。遊技島１０中央付近には回収したパチンコ玉を揚送する玉揚送装置１４（例えば布磨き揚送装置）が備えられ、遊技島１０の上方の上部タンク２０に揚送する。  
【００１８】
また、上部タンク２０には、オーバーフロー樋１８が接続され、上部タンク２０にて余剰したパチンコ玉を遊技島内の下部に設けた下部貯留タンク１５に貯留される。下部貯留タンク１５は多量のパチンコ玉を貯留させておく長さを有した略長方形状に形成されている。  
【００１９】
遊技島内の下部貯留タンク１５の玉揚送装置１４寄りの位置には、玉排出装置５０が下部貯留タンク１５に隣接して設けられている。この玉排出装置５０が駆動すると、下部貯留タンク１５内のパチンコ玉が回収樋１６へと揚送されて排出され、玉揚送装置１４にて揚送され、上部タンク内２０にて一時貯留される。このように下部貯留タンク１５内の下方寄りに貯留しているパチンコ玉を順次玉排出装置５０によって持ち上げて放出する事ができるようにしている。  
【００２０】
次に本発明の要旨にかかる、遠方補給経路４０について説明する。遠方補給経路４０は、第１遠方補給樋４２、遠方補給タンク４６、第２遠方補給樋４４で構成される。第１遠方補給樋４２は、上部タンク２０の上部から近隣補給樋３０とは別に、遊技島１０の島端の方向に下向きに傾斜したЦ樋状から形成される。遠方補給タンク４６は、略矩形状に形成されている。遠方補給タンク４６の一方側の側壁の開口にて、第１遠方補給樋４２と接続されている。また、遠方補給タンク４６には側壁に玉量を検知するための遠方補給玉量検知手段（例えば、遠方補給上限検出ＳＷ４６ａ、遠方補給下限ＳＷ４６ｂ）が、所定の高さの位置に設けられている。第２遠方補給樋４４は、下方に傾斜したЦ樋状から形成され、遠方補給タンク４６の他方側の側壁の開口に接続されている。この第２遠方補給樋４４によって遠く離間した複数台のパチンコ遊技機１２ｂ及び玉貸出機１３ｂに補給トラブルを招くことなくパチンコ玉を補給することができる。
【００２１】
次に本発明の構成による、遠く離間したパチンコ遊技機１２ｂへのパチンコ玉の補給の作用を説明する。前述したように玉揚送装置１４によって揚送されたパチンコ玉の一部は上部タンク２０に貯留され、残りの玉は分岐路（不図示）を介して、上部タンク２０に貯留することなく第１遠方補給樋４２へ直接流下する。第１遠方補給樋４２の下流側には遠方補給タンク４６が設けられ、第１遠方補給樋４２から流下した玉を貯留することができる。遠方補給タンク４６内に貯留されたパチンコ玉は、遠方補給タンク４６の下部から下向きに傾斜して形成された第２遠方補給樋４４に沿って自然に流下し、第２遠方補給樋４４から遠く離間した各パチンコ遊技機１２ｂ及び各玉貸出機１３ｂに補給される。即ち、玉揚送装置１４に近い位置の各パチンコ遊技機１２ａ及び玉貸出機１３ａには、上部タンク２０・近隣補給樋３０から補給され、遠い位置の各パチンコ遊技機１２ｂ及び玉貸出機１３ｂには、第１遠方補給樋４２・遠方補給タンク４６・第２遠方補給樋４４から補給される。
【００２２】
上記のように構成することにより、遊技島１０が長大化しても、遊技島１０全体の高さを高くしたり駆動源を用いた遊技島の構造としたりしなくても、対応する事ができる。さらに、上記のように構成することにより、玉揚送装置１４に近い位置の複数のパチンコ遊技機１２ａで大当たりが発生するなど大量にパチンコ玉の補給が必要になった場合にも、遠い位置のパチンコ遊技機１２ｂに対しても遅れることなく補給を行うことができる。また、逆に玉揚送装置１４から遠い位置のパチンコ遊技機１２ｂで大当たりが発生するなどした場合でも同様である。
【００２３】
第２遠方補給樋４４にて補給したパチンコ遊技機１２ｂから排出されるパチンコ玉は遠方回収樋６０にて回収された後、遠方玉排出装置７０で揚送され回収樋１６へと回収される。
【００２４】
上部タンク２０と遠方補給タンク４６の双方には、前述したように玉量検知手段が設けられている。玉排出装置５０は、上部タンク２０の貯留量が下限量まで減少する事により検知する上部下限検出ＳＷ２０ｂと、遠方補給タンク４６の貯留量が下限量まで減少する事により検知する遠方補給下限検出ＳＷ４６ｂの、何れか一方が検知する事により駆動するよう制御される。即ち、上部タンク２０又は遠方補給タンク４６の何れか一方の貯留量が下限量に達すると、下部貯留タンク１５に貯留されたパチンコ玉が小型玉揚送装置５０により玉揚送装置１４に送られ、玉揚送装置１４により上部タンク２０及び遠方補給タンク４６に送られる。
【００２５】
また、小型玉揚送装置５０は、上部タンク２０の貯留量が上限量まで増加する事により検知する上部上限検出ＳＷ２０ａと、遠方補給タンク４６の貯留量が上限量まで増加する事により検知する遠方補給上限検出ＳＷ４６ａの、両方が検知することにより停止するよう制御される。
【００２６】
上記のように構成することにより、玉揚送装置１４に近い位置に設けられたパチンコ遊技機１２ａと、遠い位置に設けられたパチンコ遊技機１２ｂの、双方で大当たりが発生するなど大量にパチンコ玉の補給が必要になった場合にも、何れのパチンコ遊技機１２ａ・１２ｂに対しても遅れることなく補給を行うことができる。
【００２７】
また、遠方補給経路４０を、第１遠方補給樋４２と、遠方補給タンク４６と、第２遠方補給樋４４で構成することを示したが、第２の実施例として図２に示すように、遠方補給タンク４６を上部タンク２０と隣接して配設し、玉揚送装置１４によって揚送されたパチンコ玉を、分岐路（不図示）を介して遠方補給タンク４６に流下させ、遠方補給タンクから１本の第２遠方補給樋４４によって玉揚送装置１４から遠い位置に設置されたパチンコ遊技機１２ｂに補給するように構成してもよい。その他の構成については、第１の実施例と同様であるので、重複した説明を省略する。
【００２８】
また、第３の実施例として図３に示すように、遠方補給タンクを設けずに１本の第１遠方補給樋４２のみを上部タンク２０の上部から接続して配設し、第１遠方補給樋４２の上流側に遠方補給上限検出ＳＷ４６ａを、下流側には遠方下限検出ＳＷ４６ｂを設ける構成としてもよい。その他の構成については、第１の実施例と同様であるので、重複した説明を省略する。
【００２９】
また、玉排出装置５０を、下部貯留タンクに貯留されたパチンコ玉を回収樋へ揚送して排出する構成とすることを示したが、図４及び図５に示すように、下部貯留タンクの玉排出口１６ａにて開閉するシャッターとし、上部下限検出ＳＷ２０ｂと、遠方補給下限検出ＳＷ４６ｂの、何れか一方が検知する事により、開放してパチンコ玉を下部貯留タンクから回収樋１６に排出し、上部上限検出ＳＷ２０ａと、遠方補給上限検出ＳＷ４６ａの、両方が検知することにより閉塞するよう制御してもよい。
【図面の簡単な説明】
【００３０】
【図１】本発明の第１の実施例における遊技島の構成を示す図である。
【図２】本発明の第２の実施例における遊技島の構成を示す図である。
【図３】本発明の第３の実施例における遊戯島の構成を示す図である。
【図４】本発明の玉排出装置の他の実施の形態（閉塞時）を示す図である。
【図５】本発明の玉排出装置の他の実施の形態（開放時）を示す図である。
【符号の説明】
【００３１】
１０    遊技島  １２ａ  パチンコ遊技機（近隣側）  １２ｂ  パチンコ遊技機（遠方側）  １３ａ  玉貸出機（近隣側）  １３ｂ  玉貸出機（遠方側）  １４    玉揚送装置  １５    下部貯留タンク  １６    回収樋  ２０    上部タンク  ２０ａ  上部上限検出ＳＷ  ２０ｂ  上部下限検出ＳＷ  ３０    近隣補給経路（樋）  ４０    遠方補給経路  ４２    第１遠方補給樋  ４４    第２遠方補給樋  ４６    遠方補給タンク  ４６ａ  遠方補給上限検出ＳＷ  ４６ｂ  遠方補給下限検出ＳＷ  ５０    玉排出装置
【図１】
2005237753.tif 000003
【図２】
2005237753.tif 000004
【図３】
2005237753.tif 000005
【図４】
2005237753.tif 000006
【図５】
2005237753.tif 000007